(57)【要約】  超臨界液化サブシステムと、蒸発膨張サブシステムと、分段蓄冷サブシステムと、蓄熱・熱交換サブシステムと、冷エネルギー補償サブシステムと、を備える分段蓄冷式超臨界圧縮空気エネルギー貯蔵システムにおいて、分段蓄冷サブシステムは、冷エネルギーの分段貯蔵や放出の実現に用いられ、エネルギー貯蔵・放出過程中における低温冷エネルギーの回収利用効率を向上させてシステムサイクル効率を向上させる。
2020528509.tif 000002
【特許請求の範囲】
【請求項１】
導入されたガス状空気を液状空気に転化するための超臨界液化サブシステムと、液状空気をガス状空気に転化するための蒸発膨張サブシステムと、を備える分段蓄冷式超臨界圧縮空気エネルギー貯蔵システムにおいて、
ガス状空気と液状空気との転化時に冷エネルギーを貯蔵及び／又は放出するための分段蓄冷サブシステムをさらに備える分段蓄冷式超臨界圧縮空気エネルギー貯蔵システム。
【請求項２】
前記分段蓄冷サブシステムは、少なくとも１つの液化コールドボックス、少なくとも１つの深冷蓄冷サイクル、及び少なくとも１つの中冷蓄冷サイクルを含み、
前記深冷蓄冷サイクルは液化コールドボックスに接続され、深冷温度から常温までの冷エネルギーを放出し、
前記中冷蓄冷サイクルは液化コールドボックスに接続され、深冷温度から中冷温度までの冷エネルギーを放出する、請求項１に記載の分段蓄冷式超臨界圧縮空気エネルギー貯蔵システム。
【請求項３】
前記液化コールドボックスはそれぞれ、少なくとも１つの深冷サイクル内部流路、少なくとも１つの中冷サイクル内部流路、少なくとも１つの超臨界流路、少なくとも１つの冷エネルギー補償流路、及び少なくとも１つの冷エネルギー回収流路を含み、
前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記液化コールドボックス中の深冷サイクル内部流路に接続されて完全的なサイクル流路を構成し、
前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記液化コールドボックス中の中冷サイクル内部流路に接続されて完全的なサイクル流路を構成する、請求項２に記載の分段蓄冷式超臨界圧縮空気エネルギー貯蔵システム。
【請求項４】
前記分段蓄冷サブシステムは少なくとも１つの蒸発コールドボックスをさらに含み、前記蒸発コールドボックスは少なくとも１つの深冷蓄冷サイクル及び少なくとも１つの中冷蓄冷サイクルを液化コールドボックスと共用し、
前記深冷蓄冷サイクルは蒸発コールドボックスに接続され、深冷温度から常温までの冷エネルギーを貯蔵し、
前記中冷蓄冷サイクルは蒸発コールドボックスに接続され、深冷温度から中冷温度までの冷エネルギーを貯蔵する、請求項３に記載の分段蓄冷式超臨界圧縮空気エネルギー貯蔵システム。
【請求項５】
前記蒸発コールドボックスは、少なくとも１つの深冷サイクル内部流路、少なくとも１つの中冷サイクル内部流路、及び少なくとも１つの超臨界流路を含み、
深冷蓄冷サイクル中の深冷サイクル外部流路はそれぞれ、少なくとも１つの深冷貯蔵タンク、及び少なくとも１つの深冷サイクル送風機に接続されるとともに、前記蒸発コールドボックス中の深冷サイクル内部流路に接続されて完全的なサイクル流路を構成し、
中冷蓄冷サイクル中の中冷サイクル外部流路はそれぞれ、少なくとも１つの中冷貯蔵タンク、及び少なくとも１つの中冷サイクル送風機に接続されるとともに、前記蒸発コールドボックス中の中冷サイクル内部流路に接続されて完全的なサイクル流路を構成する、請求項４に記載の分段蓄冷式超臨界圧縮空気エネルギー貯蔵システム。
【請求項６】
前記液化コールドボックス及び蒸発コールドボックスはいずれも、熱交換器群、保冷材料及び封止ケースを含み、
前記熱交換器群は、少なくとも１つのプレートフィン式熱交換器、少なくとも１つのプレート式熱交換器、または少なくとも１つの管巻き式熱交換器であり、
前記保冷材料は、ガラス繊維マット、パーライト、ロックウール、及び真空パネルのうちの１種又は複数種を混合したものである、請求項４に記載の分段蓄冷式超臨界圧縮空気エネルギー貯蔵システム。
【請求項７】
前記分段蓄冷サブシステムは、少なくとも１つのコールドボックス、少なくとも１つの深冷蓄冷サイクル、及び少なくとも１つの中冷蓄冷サイクルを含み、
コールドボックスは、液化コールドボックスまたは蒸発コールドボックスとして使用され、
深冷蓄冷サイクルはコールドボックスに接続され、コールドボックスが液化コールドボックスであるとき、深冷温度から常温までの冷エネルギーを放出し、コールドボックスが蒸発コールドボックスであるとき、深冷温度から常温までの冷エネルギーを貯蔵し、
中冷蓄冷サイクルはコールドボックスに接続され、コールドボックスが液化コールドボックスであるとき、深冷温度から中冷温度までの冷エネルギーを放出し、コールドボックスが蒸発コールドボックスであるとき、深冷温度から中冷温度までの冷エネルギーを貯蔵する、請求項１に記載の分段蓄冷式超臨界圧縮空気エネルギー貯蔵システム。
【請求項８】
前記コールドボックスはそれぞれ、少なくとも１つの深冷サイクル内部流路、少なくとも１つの中冷サイクル内部流路、及び少なくとも１つの超臨界流路を含み、
前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記コールドボックス中の深冷サイクル内部流路に接続されて完全的なサイクル流路を構成し、
前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記コールドボックス中の中冷サイクル内部流路に接続されて完全的なサイクル流路を構成する、請求項７に記載の分段蓄冷式超臨界圧縮空気エネルギー貯蔵システム。
【請求項９】
前記中冷蓄冷サイクルの数が１よりも大きい場合、それぞれの中冷蓄冷サイクルにおいて異なる中冷温度間の冷エネルギーを貯蔵する、請求項１〜８のいずれかに記載の分段蓄冷式超臨界圧縮空気エネルギー貯蔵システム。
【請求項１０】
前記少なくとも１つの中冷貯蔵タンクが２つの中冷貯蔵タンクである場合、２つの中冷貯蔵タンクは直列接続または並列接続され、
２つの中冷貯蔵タンクが直列接続される場合、一方の中冷貯蔵タンクは深冷側と常温側とに分けられ、深冷から常温までの冷エネルギーを内部に貯蔵し、他方の中冷貯蔵タンクは中冷側と常温側とに分けられ、中冷から常温までの冷エネルギーを内部に貯蔵し、中冷サイクル送風機は２つの中冷貯蔵タンクの常温側間に直列接続され、
２つの中冷貯蔵タンクが並列接続される場合、２つの中冷貯蔵タンクはいずれも深冷から中冷までの冷エネルギーを内部に貯蔵する、請求項５または８に記載の分段蓄冷式超臨界圧縮空気エネルギー貯蔵システム。
【請求項１１】
前記深冷貯蔵タンク及び中冷貯蔵タンクはいずれも内部に耐低温蓄冷材料が充填される固定式充填ベッド構造であり、サイクル作動媒体は充填された耐低温蓄冷材料の隙間を流れるとともに、冷量を交換し、
前記サイクル作動媒体は、空気、窒素ガス、アルゴンガス及びヘリウムガスのうちの１種又は複数種を混合したものであり、前記耐低温蓄冷材料は、セラミック、石、アルミナ、金属、パッケージされた相変化粒子及び化学反応粒子のうちの１種又は複数種を混合したものである、請求項５または８に記載の分段蓄冷式超臨界圧縮空気エネルギー貯蔵システム。
【請求項１２】
前記深冷サイクル送風機及び中冷サイクル送風機はいずれも両方向サイクル送風機であり、送風機の流路が封止され、送風量が調節可能である、請求項５または８に記載の分段蓄冷式超臨界圧縮空気エネルギー貯蔵システム。
【請求項１３】
深冷温度は低温断熱貯蔵タンク内の低温液体温度＋３０Ｋを超えず、中冷温度は深冷温度と常温との間にある、請求項１〜１２のいずれかに記載の分段蓄冷式超臨界圧縮空気エネルギー貯蔵システム。
【請求項１４】
前記超臨界液化サブシステムは、モータ、少なくとも１つの多段圧縮機、乾燥浄化装置、割合調節装置、液体膨張装置、気液分離器及び低温断熱貯蔵タンクを含み、
モータは多段圧縮機に軸接続され、多段圧縮機間の接続は、軸接続とガス路接続との両方を含み、乾燥浄化装置は多段圧縮機のガス路上に設けられ、空気中の水蒸気、二酸化炭素、アルカン系成分の含有量を低減させるためのものであり、
モータは、導入されたガス状空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入る、請求項５または８に記載の分段蓄冷式超臨界圧縮空気エネルギー貯蔵システム。
【請求項１５】
超臨界液化サブシステムの割合調節装置内部には、その分流した２つの回路中の超臨界空気の流量割合を調節するための流量調節機構が設けられる、請求項１４に記載の分段蓄冷式超臨界圧縮空気エネルギー貯蔵システム。
【請求項１６】
前記蒸発膨張サブシステムは、少なくとも１つの低温ポンプ、多段膨張機及び発電機を含み、低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は多段膨張機に入って仕事し、発電機を駆動して発電させ、発電機は多段膨張機に軸接続され、多段膨張機の接続は、軸接続とガス路接続との両方を含む、請求項１４に記載の分段蓄冷式超臨界圧縮空気エネルギー貯蔵システム。
【請求項１７】
前記蒸発膨張サブシステムは多段膨張機出口における高温熱エネルギーを回収するための予熱機をさらに備え、前記予熱機は超臨界空気が多段膨張機に入る前の位置に設けられ、かつ多段膨張機出口の排ガスが当該予熱機に入ってガス路回路が形成される、請求項１６に記載の分段蓄冷式超臨界圧縮空気エネルギー貯蔵システム。
【請求項１８】
前記蒸発膨張サブシステムの予熱器は、プレートフィン式、プレート式、シェル・チューブ式、スクリュープレート式熱交換器のうちの１種又は複数種の組み合わせである、請求項１７に記載の分段蓄冷式超臨界圧縮空気エネルギー貯蔵システム。
【請求項１９】
少なくとも１つの蓄熱タンク、少なくとも１つの常温タンク、少なくとも２つの再生器及び少なくとも２つの再熱器を含む蓄熱・熱交換サブシステムをさらに備え、各再生器は互いに独立しており、各再熱器は互いに独立しており、
常温タンクの出口は各再生器の一端に接続され、それぞれの再生器の他端が蓄熱タンクの入口に接続され、
蓄熱タンクの出口は各再熱器の一端に接続され、それぞれの再熱器の他端が常温タンクの入口に接続され、
少なくとも１つの再生器は超臨界液化サブシステムの多段圧縮機間に同時接続されるとともに、少なくとも１つの再生器は超臨界液化サブシステムの多段圧縮機と割合調節装置との間に同時接続され、
少なくとも１つの再熱器は蒸発により形成された超臨界空気が多段膨張機に入る前の位置に同時接続されるとともに、少なくとも１つの再熱器は蒸発膨張サブシステムにおけるガス路の多段膨張機間に同時接続される、請求項１６に記載の分段蓄冷式超臨界圧縮空気エネルギー貯蔵システム。
【請求項２０】
前記蓄熱・熱交換サブシステムは、再熱器の出口と常温タンクの入口との間にあり、再熱器の出口における蓄熱作動媒体の余熱を回収するための余熱利用装置をさらに備える、請求項１９に記載の分段蓄冷式超臨界圧縮空気エネルギー貯蔵システム。
【請求項２１】
蓄熱・熱交換サブシステムの余熱利用装置は、熱供給熱交換器または冷凍機群または両者の組み合わせである、請求項２０に記載の分段蓄冷式超臨界圧縮空気エネルギー貯蔵システム。
【請求項２２】
低温膨張機群及び混合機を含む冷エネルギー補償サブシステムをさらに備え、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻る、請求項１９に記載の分段蓄冷式超臨界圧縮空気エネルギー貯蔵システム。
【請求項２３】
前記コールドボックスは冷エネルギー補償サブシステムに接続されたとき、少なくとも１つの冷エネルギー補償流路及び少なくとも１つの冷エネルギー回収流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る、請求項８または２２に記載の分段蓄冷式超臨界圧縮空気エネルギー貯蔵システム。
【請求項２４】
請求項１〜２３のいずれかに記載の分段蓄冷式超臨界圧縮空気エネルギー貯蔵システムに応用される分段蓄冷式超臨界圧縮空気エネルギー貯蔵方法であって、
超臨界液化サブシステムが、導入されたガス状空気を液状空気に転化することと、
蒸発膨張サブシステムが、液状空気をガス状空気に転化することと、
分段蓄冷サブシステムが、ガス状空気と液状空気との転化時に冷エネルギーを貯蔵及び／又は放出することと、
を含む分段蓄冷式超臨界圧縮空気エネルギー貯蔵方法。
【請求項２５】
前記超臨界液化サブシステムが、導入されたガス状空気を液状空気に転化することにおいて、具体的に、
モータは、導入された空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入る、請求項２４に記載の分段蓄冷式超臨界圧縮空気エネルギー貯蔵方法。
【請求項２６】
前記蒸発膨張サブシステムが、液状空気をガス状空気に転化することにおいて、具体的に、
低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は多段膨張機に入って仕事し、発電機を駆動して発電させる、請求項２４に記載の分段蓄冷式超臨界圧縮空気エネルギー貯蔵方法。
【請求項２７】
分段蓄冷サブシステムが、ガス状空気と液状空気との転化時に冷エネルギーを貯蔵及び／又は放出することにおいて、具体的に、
サイクル送風機はサイクル作動媒体を駆動し、深冷貯蔵タンク及び中冷貯蔵タンク内の冷エネルギーを液化コールドボックスの深冷サイクル内部流路及び中冷サイクル内部流路にそれぞれ導入し、超臨界流路内の超臨界空気の液化のために冷エネルギーを提供し、
サイクル送風機はサイクル作動媒体を駆動し、深冷貯蔵タンク及び中冷貯蔵タンク内の冷エネルギーを蒸発コールドボックスの深冷サイクル内部流路及び中冷サイクル内部流路にそれぞれ導入し、超臨界流路内の超臨界空気の蒸発のために熱エネルギーを提供して冷エネルギーを貯蔵する、請求項２４に記載の分段蓄冷式超臨界圧縮空気エネルギー貯蔵方法。
【請求項２８】
蓄熱・熱交換サブシステムが、昇温された蓄熱作動媒体を蓄熱タンクに貯蔵すること、及び降温された蓄熱作動媒体を常温タンクに戻すことをさらに含む、請求項２４に記載の分段蓄冷式超臨界圧縮空気エネルギー貯蔵方法。
【請求項２９】
前記蓄熱・熱交換サブシステムが、昇温された蓄熱作動媒体を蓄熱タンクに貯蔵すること、及び降温された蓄熱作動媒体を常温タンクに戻すことにおいて、具体的に、
各段再生器内において圧縮熱を吸収して昇温した蓄熱作動媒体を蓄熱タンク内に貯蔵し、
各段再熱器液側出口の蓄熱作動媒体は余熱利用装置により蓄熱作動媒体の熱エネルギーをさらに吸収するとともに常温付近の冷エネルギーを放出し、降温後の蓄熱作動媒体を常温タンク内に戻す、請求項２８に記載の分段蓄冷式超臨界圧縮空気エネルギー貯蔵方法。
【請求項３０】
冷エネルギー補償サブシステムが冷エネルギーを自主的に補償することをさらに含む、請求項２４に記載の分段蓄冷式超臨界圧縮空気エネルギー貯蔵方法。
【請求項３１】
冷エネルギー補償サブシステムが冷エネルギーを自主的に補償することにおいて、具体的に、分段蓄冷サブシステムが、少なくとも１つの液化コールドボックス及び少なくとも１つの蒸発コールドボックスを含むとき、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻り、あるいは、
分段蓄冷サブシステムは、液化及び蒸発に同時使用される少なくとも１つのコールドボックスを含むとき、コールドボックスが冷エネルギー補償サブシステムに接続され、少なくとも１つの冷エネルギー補償流路及び少なくとも１つの冷エネルギー回収流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る、請求項３０に記載の分段蓄冷式超臨界圧縮空気エネルギー貯蔵方法。
【請求項３２】
少なくとも１つの液化コールドボックス、少なくとも１つの深冷蓄冷サイクル及び少なくとも１つの中冷蓄冷サイクルを含み、
前記深冷蓄冷サイクルは液化コールドボックスに接続され、深冷温度から常温までの冷エネルギーを放出し、
前記中冷蓄冷サイクルが液化コールドボックスに接続され、深冷温度から中冷温度までの冷エネルギーを放出する、分段蓄冷サブシステム。
【請求項３３】
前記液化コールドボックスは、少なくとも１つの深冷サイクル内部流路、少なくとも１つの中冷サイクル内部流路、少なくとも１つの超臨界流路、少なくとも１つの冷エネルギー補償流路、及び少なくとも１つの冷エネルギー回収流路を含み、
前記少なくとも１つの深冷蓄冷サイクルにおいて、深冷蓄冷サイクルはそれぞれ、少なくとも１つの深冷貯蔵タンク、少なくとも１つの深冷サイクル送風機及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記液化コールドボックス中の深冷サイクル内部流路に接続されて完全的なサイクル流路を構成し、
前記少なくとも１つの中冷蓄冷サイクルにおいて、中冷蓄冷サイクルはそれぞれ、少なくとも１つの中冷貯蔵タンク、少なくとも１つの中冷サイクル送風機及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記液化コールドボックス中の中冷サイクル内部流路に接続されて完全的なサイクル流路を構成する、請求項３２に記載の分段蓄冷サブシステム。
【請求項３４】
前記分段蓄冷サブシステムは少なくとも１つの蒸発コールドボックスをさらに含み、前記蒸発コールドボックスは少なくとも１つの深冷蓄冷サイクル及び少なくとも１つの中冷蓄冷サイクルを液化コールドボックスと共用し、前記深冷蓄冷サイクルは蒸発コールドボックスに接続され、深冷温度から常温までの冷エネルギーを貯蔵し、前記中冷蓄冷サイクルは蒸発コールドボックスに接続され、深冷温度から中冷温度までの冷エネルギーを貯蔵する、請求項３３に記載の分段蓄冷サブシステム。
【請求項３５】
前記蒸発コールドボックスは、少なくとも１つの深冷サイクル内部流路、少なくとも１つの中冷サイクル内部流路、及び少なくとも１つの超臨界流路を含み、深冷サイクル外部流路はそれぞれ、少なくとも１つの深冷貯蔵タンク、及び少なくとも１つの深冷サイクル送風機に接続されるとともに、前記蒸発コールドボックス中の深冷サイクル内部流路に接続されて完全的なサイクル流路を構成し、中冷サイクル外部流路はそれぞれ、少なくとも１つの中冷貯蔵タンク、及び少なくとも１つの中冷サイクル送風機に接続されるとともに、前記蒸発コールドボックス中の中冷サイクル内部流路に接続されて完全的なサイクル流路を構成する、請求項３４に記載の分段蓄冷サブシステム。
【請求項３６】
コールドボックス、少なくとも１つの深冷蓄冷サイクル、及び少なくとも１つの中冷蓄冷サイクルを含み、
コールドボックスは、液化コールドボックスまたは蒸発コールドボックスとして使用され、
深冷蓄冷サイクルはコールドボックスに接続され、コールドボックスが液化コールドボックスであるとき、深冷温度から常温までの冷エネルギーを放出し、コールドボックスが蒸発コールドボックスであるとき、深冷温度から常温までの冷エネルギーを貯蔵し、
中冷蓄冷サイクルはコールドボックスに接続され、コールドボックスが液化コールドボックスであるとき、深冷温度から中冷温度までの冷エネルギーを放出し、コールドボックスが蒸発コールドボックスであるとき、深冷温度から中冷温度までの冷エネルギーを貯蔵する、分段蓄冷サブシステム。
【請求項３７】
前記コールドボックスはそれぞれ、少なくとも１つの深冷サイクル内部流路、少なくとも１つの中冷サイクル内部流路、及び少なくとも１つの超臨界流路を含み、
前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記コールドボックス中の深冷サイクル内部流路に接続されて完全的なサイクル流路を構成し、
前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記コールドボックス中の中冷サイクル内部流路に接続されて完全的なサイクル流路を構成する、請求項３６に記載の分段蓄冷サブシステム。
【請求項３８】
前記中冷蓄冷サイクルの数が１よりも大きい場合、それぞれの中冷蓄冷サイクルにおいて異なる中冷温度間の冷エネルギーを貯蔵する、請求項３２〜３７のいずれかに記載の分段蓄冷サブシステム。
【請求項３９】
前記少なくとも１つの中冷貯蔵タンクが２つの中冷貯蔵タンクである場合、２つの中冷貯蔵タンクは直列接続または並列接続され、
２つの中冷貯蔵タンクが直列接続される場合、一方の中冷貯蔵タンクは深冷側と常温側とに分けられ、深冷から常温までの冷エネルギーを内部に貯蔵し、他方の中冷貯蔵タンクは中冷側と常温側とに分けられ、中冷から常温までの冷エネルギーを内部に貯蔵し、中冷サイクル送風機は２つの中冷貯蔵タンクの常温側間に直列接続され、
２つの中冷貯蔵タンクが並列接続される場合、２つの中冷貯蔵タンクはいずれも深冷から中冷までの冷エネルギーを内部に貯蔵する、請求項３３、３５または３７に記載の分段蓄冷サブシステム。
【請求項４０】
前記深冷貯蔵タンク及び中冷貯蔵タンクはいずれも内部に耐低温蓄冷材料が充填される固定式充填ベッド構造であり、サイクル作動媒体は充填された耐低温蓄冷材料の隙間を流れるとともに、冷量を交換し、
前記サイクル作動媒体は、空気、窒素ガス、アルゴンガス及びヘリウムガスのうちの１種又は複数種を混合したものであり、前記耐低温蓄冷材料は、セラミック、石、アルミナ、金属、パッケージされた相変化粒子及び化学反応粒子のうちの１種又は複数種を混合したものである、請求項３３、３５または３７に記載の分段蓄冷サブシステム。
【請求項４１】
前記深冷サイクル送風機及び中冷サイクル送風機はいずれも両方向サイクル送風機であり、送風機の流路が封止され、送風量が調節可能である、請求項３３、３５または３７に記載の分段蓄冷サブシステム。
【請求項４２】
深冷温度は低温断熱貯蔵タンク内の低温液体温度＋３０Ｋを超えず、中冷温度は深冷温度と常温との間にある、請求項３２〜４１のいずれかに記載の分段蓄冷サブシステム。
【請求項４３】
前記液化コールドボックス及び蒸発コールドボックスはいずれも、熱交換器群、保冷材料及び封止ケースを含み、
前記熱交換器群は、少なくとも１つのプレートフィン式熱交換器、少なくとも１つのプレート式熱交換器、または少なくとも１つの管巻き式熱交換器であり、
前記保冷材料は、ガラス繊維マット、パーライト、ロックウール、及び真空パネルのうちの１種又は複数種を混合したものである、請求項３３に記載の分段蓄冷サブシステム。
【発明の詳細な説明】
【技術分野】
【０００１】
本発明は、再生可能エネルギー、圧縮空気エネルギー貯蔵、分布式エネルギー等の分野に関し、特に分段蓄冷式超臨界圧縮空気エネルギー貯蔵システムおよび方法に関する。
【背景技術】
【０００２】
圧縮空気エネルギー貯蔵は、揚水ストレージ以外の唯一の熟成した大規模グリッド電気貯蔵の物理エネルギー貯蔵技術であり、グリッドのピーククリッピング及び太陽エネルギーや風エネルギー等の再生可能エネルギーの安定的出力等の分野に使用可能である。従来の圧縮空気エネルギー貯蔵は圧縮機を利用して空気を大型な岩穴へ圧縮して保存し、エネルギー放出段階では、化石燃料の燃焼により再熱して膨張仕事をし、大型のシステムに適し、低コスト、長寿命であるが、その建設場所が制限され、かつ化石エネルギーの燃焼に依存して汚染になる。蓄熱式圧縮空気エネルギー貯蔵は圧縮過程に生じた圧縮熱を回収するとともにエネルギー放出過程におけるタービン段間の再熱に用いられ、スターリングサイクルに属し、効率が高く、環境にやさしいが、その普及は依然として貯気岩穴地形条件に制限される。大型の貯気岩穴の代わりに、大規模の耐高圧容器管路は使用され、地形条件の制限から逃げ、大範囲の普及に適しているが、金属圧力容器による高圧空気の貯蔵は、コストが高く、かつエネルギー貯蔵時間の増大につれて容器のコストの占める割合は大きくなり、圧縮空気エネルギー貯蔵システムのコスト回収及び大規模の普及応用に影響している。
【０００３】
液化空気エネルギー貯蔵システム（ＬＡＥＳ）内の作動媒体は液状常圧や低圧で貯蔵され、エネルギー貯蔵密度を大きく向上させるだけでなく、システムの建設コスト及び占有面積も大幅に低減させる。早期の液状空気技術においてエネルギー放出過程は依然として化石燃料の燃焼に依存し、システムに蓄冷設計がなく、外部液状空気の導入に依存し、主に従来の空気システムとの組合せであり、エネルギー放出段階の冷エネルギーの回収を考慮せず、技術がかなり熟成しているが、システムの実際の電気効率は低い。一部の文献には新規な液状空気エネルギー貯蔵技術が開示されており、前の技術に比べて、いかなる燃焼過程を含まず、空気だけが作動媒体であり、熱や冷エネルギー貯蔵技術により、液状空気の蒸発時の冷エネルギーを回収して空気液化に用いるフローが増加し、システム効率が向上した。一部の文献には、空気超臨界液化サイクル、エネルギー貯蔵システム及びランキンサイクルを組み合わせて、エネルギー貯蔵段階において圧縮機出口における超臨界空気は冷エネルギーを吸収して降温するとともに、等エンタルピスロットル／等エントロピ膨張され、低圧液化空気が低温断熱貯蔵タンクに貯蔵され、エネルギー放出段階において低温ポンプにより昇圧された液状空気は熱量を吸収するとともに冷エネルギーを回収してから気化されて再熱器により再熱されてからタービンに入り仕事する、冷エネルギーを回収するとともに貯蔵する超臨界圧縮空気エネルギー貯蔵システムが開示されている。建設場所に対する制限がない利点及び零汚染排出等の利点をさらに有する。また、タービン入口における圧力及び流量は安定に保持可能であるため、断熱式圧縮空気エネルギー貯蔵システム貯気装置とタービン入口との間の圧力調節及び圧縮機出口において可変圧力で運行する等の欠点を解消し、高効率点における動力機械の安定的運行を保持可能である。
【０００４】
上記の研究において、冷エネルギー回収を液化フローに用いるが、冷エネルギー利用率が依然として不足であり、かつ貯蔵・放出過程における冷量が閉ループではなく、後続の研究において液化フローにいずれも最適化したクロードを用いてより多くの冷エネルギーを吸収するとともにシステム冷エネルギーの自己補償を実現することは考慮される。一部の文献には、プロパン及びメタノールの二流体による蓄冷のサイクルが開示されており、原子力発電所との集成により原子力発電所をほぼ全負荷運行に維持させるとともに応変需要を満たし、熱伝導及び冷エネルギー貯蔵作動媒体として液状作動媒体は冷エネルギーの不可逆損失を低減させるが、メタノール及びプロパンはいずれも可燃性・爆発性・毒性を有する危険化学品であり、空気液化過程中に酸素富化領域との接触が存在して爆発しやすく、安全性、経済性及びメンテンスコストの点から、その大規模の長期貯蔵は想像し難い。
【０００５】
以上の通り、現在の研究では、液化過程中の冷エネルギー利用に関する研究は既にかなり十分であるが、蒸発冷箱内の高温液状空気冷エネルギーの回収については明らかに不足であり、従来発明では、大規模、低コスト及びエネルギー貯蔵の安全性、信頼性の要求を依然として満足せず、更なる最適化が依然として求められている。
【発明の概要】
【発明が解決しようとする課題】
【０００６】
上記課題について、本発明は、冷エネルギー回収不足、及び大規模、低コスト及びエネルギー貯蔵の安全性、信頼性の要求を満足しない課題を解決するために、分段蓄冷サブシステム及び超臨界圧縮空気エネルギー貯蔵システムを提供している。
【課題を解決するための手段】
【０００７】
本発明の一態様は、導入されたガス状空気を液状空気に転化するための超臨界液化サブシステムと、液状空気をガス状空気に転化するための蒸発膨張サブシステムと、を備える分段蓄冷式超臨界圧縮空気エネルギー貯蔵システムにおいて、ガス状空気と液状空気との転化時に冷エネルギーを貯蔵及び／又は放出するための分段蓄冷サブシステムをさらに備える分段蓄冷式超臨界圧縮空気エネルギー貯蔵システムを提供している。
【０００８】
前記分段蓄冷サブシステムは、少なくとも１つの液化コールドボックス、少なくとも１つの深冷蓄冷サイクル、及び少なくとも１つの中冷蓄冷サイクルを含み、前記深冷蓄冷サイクルは液化コールドボックスに接続され、深冷温度から常温までの冷エネルギーを放出し、前記中冷蓄冷サイクルは液化コールドボックスに接続され、深冷温度から中冷温度までの冷エネルギーを放出する。
【０００９】
前記液化コールドボックスはそれぞれ、少なくとも１つの深冷サイクル内部流路、少なくとも１つの中冷サイクル内部流路、少なくとも１つの超臨界流路、少なくとも１つの冷エネルギー補償流路、及び少なくとも１つの冷エネルギー回収流路を含み、前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記液化コールドボックス中の深冷サイクル内部流路に接続されて完全的なサイクル流路を構成し、前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記液化コールドボックス中の中冷サイクル内部流路に接続されて完全的なサイクル流路を構成する。
【００１０】
前記分段蓄冷サブシステムは少なくとも１つの蒸発コールドボックスをさらに含み、前記蒸発コールドボックスは少なくとも１つの深冷蓄冷サイクル及び少なくとも１つの中冷蓄冷サイクルを液化コールドボックスと共用し、前記深冷蓄冷サイクルは蒸発コールドボックスに接続され、深冷温度から常温までの冷エネルギーを貯蔵し、前記中冷蓄冷サイクルは蒸発コールドボックスに接続され、深冷温度から中冷温度までの冷エネルギーを貯蔵する。
【００１１】
前記蒸発コールドボックスは、少なくとも１つの深冷サイクル内部流路、少なくとも１つの中冷サイクル内部流路、及び少なくとも１つの超臨界流路を含み、深冷蓄冷サイクル中の深冷サイクル外部流路はそれぞれ、少なくとも１つの深冷貯蔵タンク、及び少なくとも１つの深冷サイクル送風機に接続されるとともに、前記蒸発コールドボックス中の深冷サイクル内部流路に接続されて完全的なサイクル流路を構成し、中冷蓄冷サイクル中の中冷サイクル外部流路はそれぞれ、少なくとも１つの中冷貯蔵タンク、及び少なくとも１つの中冷サイクル送風機に接続されるとともに、前記蒸発コールドボックス中の中冷サイクル内部流路に接続されて完全的なサイクル流路を構成する。
【００１２】
前記液化コールドボックス及び蒸発コールドボックスはいずれも、熱交換器群、保冷材料及び封止ケースを含み、前記熱交換器群は、少なくとも１つのプレートフィン式熱交換器、少なくとも１つのプレート式熱交換器、または少なくとも１つの管巻き式熱交換器である。
【００１３】
前記保冷材料は、ガラス繊維マット、パーライト、ロックウール、及び真空パネルのうちの１種又は複数種を混合したものである。
【００１４】
前記分段蓄冷サブシステムは、少なくとも１つのコールドボックス、少なくとも１つの深冷蓄冷サイクル、及び少なくとも１つの中冷蓄冷サイクルを含み、コールドボックスは、液化コールドボックスまたは蒸発コールドボックスとして使用され、深冷蓄冷サイクルはコールドボックスに接続され、コールドボックスが液化コールドボックスであるとき、深冷温度から常温までの冷エネルギーを放出し、コールドボックスが蒸発コールドボックスであるとき、深冷温度から常温までの冷エネルギーを貯蔵し、中冷蓄冷サイクルはコールドボックスに接続され、コールドボックスが液化コールドボックスであるとき、深冷温度から中冷温度までの冷エネルギーを放出し、コールドボックスが蒸発コールドボックスであるとき、深冷温度から中冷温度までの冷エネルギーを貯蔵する。
【００１５】
前記コールドボックスはそれぞれ、少なくとも１つの深冷サイクル内部流路、少なくとも１つの中冷サイクル内部流路、及び少なくとも１つの超臨界流路を含み、前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記コールドボックス中の深冷サイクル内部流路に接続されて完全的なサイクル流路を構成し、前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記コールドボックス中の中冷サイクル内部流路に接続されて完全的なサイクル流路を構成する。
【００１６】
前記中冷蓄冷サイクルの数が１よりも大きい場合、それぞれの中冷蓄冷サイクルにおいて異なる中冷温度間の冷エネルギーを貯蔵する。
【００１７】
前記少なくとも１つの中冷貯蔵タンクが２つの中冷貯蔵タンクである場合、２つの中冷貯蔵タンクは直列接続または並列接続され、２つの中冷貯蔵タンクが直列接続される場合、一方の中冷貯蔵タンクは深冷側と常温側とに分けられ、深冷から常温までの冷エネルギーを内部に貯蔵し、他方の中冷貯蔵タンクは中冷側と常温側とに分けられ、中冷から常温までの冷エネルギーを内部に貯蔵し、中冷サイクル送風機は２つの中冷貯蔵タンクの常温側間に直列接続され、２つの中冷貯蔵タンクが並列接続される場合、２つの中冷貯蔵タンクはいずれも深冷から中冷までの冷エネルギーを内部に貯蔵する。
【００１８】
前記深冷貯蔵タンク及び中冷貯蔵タンクはいずれも内部に耐低温蓄冷材料が充填される固定式充填ベッド構造であり、サイクル作動媒体は充填された耐低温蓄冷材料の隙間を流れるとともに、冷量を交換し、前記サイクル作動媒体は、空気、窒素ガス、アルゴンガス及びヘリウムガスのうちの１種又は複数種を混合したものであり、前記耐低温蓄冷材料は、セラミック、石、アルミナ、金属、パッケージされた相変化粒子及び化学反応粒子のうちの１種又は複数種を混合したものである。
【００１９】
前記深冷サイクル送風機及び中冷サイクル送風機はいずれも両方向サイクル送風機であり、送風機の流路が封止され、送風量が調節可能である。
【００２０】
深冷温度は低温断熱貯蔵タンク内の低温液体温度＋３０Ｋを超えず、中冷温度は深冷温度と常温との間にある。
【００２１】
前記超臨界液化サブシステムは、モータ、少なくとも１つの多段圧縮機、乾燥浄化装置、割合調節装置、液体膨張装置、気液分離器及び低温断熱貯蔵タンクを含み、モータは多段圧縮機に軸接続され、多段圧縮機間の接続は、軸接続とガス路接続との両方を含み、乾燥浄化装置は多段圧縮機のガス路上に設けられ、空気中の水蒸気、二酸化炭素、アルカン系成分の含有量を低減させるためのものであり、モータは、導入されたガス状空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入る。
【００２２】
超臨界液化サブシステムの割合調節装置内部には、その分流した２つの回路中の超臨界空気の流量割合を調節するための流量調節機構が設けられる。
【００２３】
前記蒸発膨張サブシステムは、少なくとも１つの低温ポンプ、多段膨張機及び発電機を含み、低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は多段膨張機に入って仕事し、発電機を駆動して発電させ、発電機は多段膨張機に軸接続され、多段膨張機の接続は、軸接続とガス路接続との両方を含む。
【００２４】
前記蒸発膨張サブシステムは多段膨張機出口における高温熱エネルギーを回収するための予熱機をさらに備え、前記予熱機は超臨界空気が多段膨張機に入る前の位置に設けられ、かつ多段膨張機出口の排ガスが当該予熱機に入ってガス路回路が形成される。
【００２５】
前記蒸発膨張サブシステムの予熱器は、プレートフィン式、プレート式、シェル・チューブ式、スクリュープレート式熱交換器のうちの１種又は複数種の組み合わせである。
【００２６】
該圧縮空気エネルギー貯蔵システムは、少なくとも１つの蓄熱タンク、少なくとも１つの常温タンク、少なくとも２つの再生器及び少なくとも２つの再熱器を含む蓄熱・熱交換サブシステムをさらに備え、各再生器は互いに独立しており、各再熱器は互いに独立しており、常温タンクの出口は各再生器の一端に接続され、それぞれの再生器の他端が蓄熱タンクの入口に接続され、蓄熱タンクの出口は各再熱器の一端に接続され、それぞれの再熱器の他端が常温タンクの入口に接続され、少なくとも１つの再生器は超臨界液化サブシステムの多段圧縮機間に同時接続されるとともに、少なくとも１つの再生器は超臨界液化サブシステムの多段圧縮機と割合調節装置との間に同時接続され、少なくとも１つの再熱器は蒸発により形成された超臨界空気が多段膨張機に入る前の位置に同時接続されるとともに、少なくとも１つの再熱器は蒸発膨張サブシステムにおけるガス路の多段膨張機間に同時接続される。
【００２７】
前記蓄熱・熱交換サブシステムは、再熱器の出口と常温タンクの入口との間にあり、再熱器の出口における蓄熱作動媒体の余熱を回収するための余熱利用装置をさらに備える。
【００２８】
蓄熱・熱交換サブシステムの余熱利用装置は、熱供給熱交換器または冷凍機群または両者の組み合わせである。
【００２９】
該圧縮空気エネルギー貯蔵システムは、低温膨張機群及び混合機を含む冷エネルギー補償サブシステムをさらに備え、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻る。
【００３０】
前記コールドボックスは冷エネルギー補償サブシステムに接続されたとき、少なくとも１つの冷エネルギー補償流路及び少なくとも１つの冷エネルギー回収流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る。
【００３１】
本発明の別態様は、前記分段蓄冷式超臨界圧縮空気エネルギー貯蔵システムに応用される分段蓄冷式超臨界圧縮空気エネルギー貯蔵方法であって、超臨界液化サブシステムが、導入されたガス状空気を液状空気に転化することと、蒸発膨張サブシステムが、液状空気をガス状空気に転化することと、分段蓄冷サブシステムが、ガス状空気と液状空気との転化時に冷エネルギーを貯蔵及び／又は放出することと、を含む分段蓄冷式超臨界圧縮空気エネルギー貯蔵方法を提供している。
【００３２】
前記超臨界液化サブシステムが、導入されたガス状空気を液状空気に転化することにおいて、具体的に、モータは、導入された空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入る。
【００３３】
前記蒸発膨張サブシステムが、液状空気をガス状空気に転化することにおいて、具体的に、低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は多段膨張機に入って仕事し、発電機を駆動して発電させる。
【００３４】
分段蓄冷サブシステムが、ガス状空気と液状空気との転化時に冷エネルギーを貯蔵及び／又は放出することにおいて、具体的に、サイクル送風機はサイクル作動媒体を駆動し、深冷貯蔵タンク及び中冷貯蔵タンク内の冷エネルギーを液化コールドボックスの深冷サイクル内部流路及び中冷サイクル内部流路にそれぞれ導入し、超臨界流路内の超臨界空気の液化のために冷エネルギーを提供し、サイクル送風機はサイクル作動媒体を駆動し、深冷貯蔵タンク及び中冷貯蔵タンク内の冷エネルギーを蒸発コールドボックスの深冷サイクル内部流路及び中冷サイクル内部流路にそれぞれ導入し、超臨界流路内の超臨界空気の蒸発のために熱エネルギーを提供して冷エネルギーを貯蔵する。
【００３５】
蓄熱・熱交換サブシステムが、昇温された蓄熱作動媒体を蓄熱タンクに貯蔵すること、及び降温された蓄熱作動媒体を常温タンクに戻すことをさらに含む。
【００３６】
前記蓄熱・熱交換サブシステムが、昇温された蓄熱作動媒体を蓄熱タンクに貯蔵すること、及び降温された蓄熱作動媒体を常温タンクに戻すことにおいて、具体的に、各段再生器内において圧縮熱を吸収して昇温した蓄熱作動媒体を蓄熱タンク内に貯蔵し、各段再熱器液側出口の蓄熱作動媒体は余熱利用装置により蓄熱作動媒体の熱エネルギーをさらに吸収するとともに常温付近の冷エネルギーを放出し、降温後の蓄熱作動媒体を常温タンク内に戻す。
【００３７】
冷エネルギー補償サブシステムが冷エネルギーを自主的に補償することをさらに含む。
【００３８】
冷エネルギー補償サブシステムが冷エネルギーを自主的に補償することにおいて、具体的に、分段蓄冷サブシステムが、少なくとも１つの液化コールドボックス及び少なくとも１つの蒸発コールドボックスを含むとき、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻り、あるいは、分段蓄冷サブシステムは、液化及び蒸発に同時使用される少なくとも１つのコールドボックスを含むとき、コールドボックスが冷エネルギー補償サブシステムに接続され、少なくとも１つの冷エネルギー補償流路及び少なくとも１つの冷エネルギー回収流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る。
【００３９】
本発明の別態様は、少なくとも１つの液化コールドボックス、少なくとも１つの深冷蓄冷サイクル及び少なくとも１つの中冷蓄冷サイクルを含み、前記深冷蓄冷サイクルは液化コールドボックスに接続され、深冷温度から常温までの冷エネルギーを放出し、前記中冷蓄冷サイクルが液化コールドボックスに接続され、深冷温度から中冷温度までの冷エネルギーを放出する、分段蓄冷サブシステムをさらに提供している。
【００４０】
前記液化コールドボックスは、少なくとも１つの深冷サイクル内部流路、少なくとも１つの中冷サイクル内部流路、少なくとも１つの超臨界流路、少なくとも１つの冷エネルギー補償流路、及び少なくとも１つの冷エネルギー回収流路を含み、前記少なくとも１つの深冷蓄冷サイクルにおいて、深冷蓄冷サイクルはそれぞれ、少なくとも１つの深冷貯蔵タンク、少なくとも１つの深冷サイクル送風機及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記液化コールドボックス中の深冷サイクル内部流路に接続されて完全的なサイクル流路を構成し、前記少なくとも１つの中冷蓄冷サイクルにおいて、中冷蓄冷サイクルはそれぞれ、少なくとも１つの中冷貯蔵タンク、少なくとも１つの中冷サイクル送風機及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記液化コールドボックス中の中冷サイクル内部流路に接続されて完全的なサイクル流路を構成する。
【００４１】
前記分段蓄冷サブシステムは少なくとも１つの蒸発コールドボックスをさらに含み、前記蒸発コールドボックスは少なくとも１つの深冷蓄冷サイクル及び少なくとも１つの中冷蓄冷サイクルを液化コールドボックスと共用し、前記深冷蓄冷サイクルは蒸発コールドボックスに接続され、深冷温度から常温までの冷エネルギーを貯蔵し、前記中冷蓄冷サイクルは蒸発コールドボックスに接続され、深冷温度から中冷温度までの冷エネルギーを貯蔵する。
【００４２】
前記蒸発コールドボックスは、少なくとも１つの深冷サイクル内部流路、少なくとも１つの中冷サイクル内部流路、及び少なくとも１つの超臨界流路を含み、深冷サイクル外部流路はそれぞれ、少なくとも１つの深冷貯蔵タンク、及び少なくとも１つの深冷サイクル送風機に接続されるとともに、前記蒸発コールドボックス中の深冷サイクル内部流路に接続されて完全的なサイクル流路を構成し、中冷サイクル外部流路はそれぞれ、少なくとも１つの中冷貯蔵タンク、及び少なくとも１つの中冷サイクル送風機に接続されるとともに、前記蒸発コールドボックス中の中冷サイクル内部流路に接続されて完全的なサイクル流路を構成する。
【００４３】
本発明の別態様は、コールドボックス、少なくとも１つの深冷蓄冷サイクル、及び少なくとも１つの中冷蓄冷サイクルを含み、コールドボックスは、液化コールドボックスまたは蒸発コールドボックスとして使用され、深冷蓄冷サイクルはコールドボックスに接続され、コールドボックスが液化コールドボックスであるとき、深冷温度から常温までの冷エネルギーを放出し、コールドボックスが蒸発コールドボックスであるとき、深冷温度から常温までの冷エネルギーを貯蔵し、中冷蓄冷サイクルはコールドボックスに接続され、コールドボックスが液化コールドボックスであるとき、深冷温度から中冷温度までの冷エネルギーを放出し、コールドボックスが蒸発コールドボックスであるとき、深冷温度から中冷温度までの冷エネルギーを貯蔵する、分段蓄冷サブシステムをさらに提供している。
【００４４】
前記コールドボックスは、少なくとも１つの深冷サイクル内部流路、少なくとも１つの中冷サイクル内部流路、及び少なくとも１つの超臨界流路を含み、前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記コールドボックス中の深冷サイクル内部流路に接続されて完全的なサイクル流路を構成し、前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記コールドボックス中の中冷サイクル内部流路に接続されて完全的なサイクル流路を構成する。
【００４５】
前記中冷蓄冷サイクルの数が１よりも大きい場合、それぞれの中冷蓄冷サイクルにおいて異なる中冷温度間の冷エネルギーを貯蔵する。
【００４６】
前記少なくとも１つの中冷貯蔵タンクが２つの中冷貯蔵タンクである場合、２つの中冷貯蔵タンクは直列接続または並列接続され、２つの中冷貯蔵タンクが直列接続される場合、一方の中冷貯蔵タンクは深冷側と常温側とに分けられ、深冷から常温までの冷エネルギーを内部に貯蔵し、他方の中冷貯蔵タンクは中冷側と常温側とに分けられ、中冷から常温までの冷エネルギーを内部に貯蔵し、中冷サイクル送風機は２つの中冷貯蔵タンクの常温側間に直列接続され、２つの中冷貯蔵タンクが並列接続される場合、２つの中冷貯蔵タンクはいずれも深冷から中冷までの冷エネルギーを内部に貯蔵する。
【００４７】
前記深冷貯蔵タンク及び中冷貯蔵タンクはいずれも内部に耐低温蓄冷材料が充填される固定式充填ベッド構造であり、サイクル作動媒体は充填された耐低温蓄冷材料の隙間を流れるとともに、冷量を交換し、前記サイクル作動媒体は、空気、窒素ガス、アルゴンガス及びヘリウムガスのうちの１種又は複数種を混合したものであり、前記耐低温蓄冷材料は、セラミック、石、アルミナ、金属、パッケージされた相変化粒子及び化学反応粒子のうちの１種又は複数種を混合したものである。
【００４８】
前記深冷サイクル送風機及び中冷サイクル送風機はいずれも両方向サイクル送風機であり、送風機の流路が封止され、送風量が調節可能である。
【００４９】
深冷温度は低温断熱貯蔵タンク内の低温液体温度＋３０Ｋ超えず、中冷温度は深冷温度と常温との間にある。
【００５０】
前記液化コールドボックス及び蒸発コールドボックスはいずれも、熱交換器群、保冷材料及び封止ケースを含み、前記熱交換器群は、少なくとも１つのプレートフィン式熱交換器、少なくとも１つのプレート式熱交換器、または少なくとも１つの管巻き式熱交換器である。
【００５１】
前記保冷材料は、ガラス繊維マット、パーライト、ロックウール、及び真空パネルのうちの１種又は複数種を混合したものである。
【発明の効果】
【００５２】
上記の技術案から分かる通り、本発明による分段蓄冷式超臨界圧縮空気エネルギーシステム及び方法は、下記の有益効果を有する。
【００５３】
１）本発明では、分段蓄冷サブシステムは中冷蓄冷サイクルを追加して中間温度の冷量を貯蔵することにより、冷エネルギーの回収利用効率を増加し、冷エネルギーの回収不足の課題を解決し、システムサイクル効率をさらに向上させるとともに、圧縮機出口における圧力を低下させるという利点を有する。
【００５４】
２）本発明では、使用するサイクル作動媒体は、空気、窒素ガス、アルゴンガス及びヘリウムガスのうちの１種又は複数種を混合したものであり、入手しやすく、安全で信頼性がよく、コストが低く、効率が高く、環境にやさしく、大規模応用に適切である等の利点を有する。
【００５５】
３）本発明では、エネルギー貯蔵過程中における冷エネルギーの自主的補償及び圧縮熱の回収利用を完成するとともに、外部冷・熱源の導入がない場合、高効率で独立的な運行を実現でき、地形条件に制限されない冷エネルギー補償システム及び蓄熱・熱交換システムをさらに含む。
【図面の簡単な説明】
【００５６】
【図１】図１は本発明による具体的な実施例における分段蓄冷式超臨界圧縮空気エネルギー貯蔵方法のフロー図である。
【図２】図２は本発明による具体的な実施例における単深冷蓄冷サイクルと中冷貯蔵タンクとの組み合わせによる分段蓄冷式超臨界圧縮空気エネルギー貯蔵システムの模示図である。
【図３】図３は本発明による具体的な実施例における中冷貯蔵タンクがダブルタンク直列接続構造である分段蓄冷式超臨界圧縮空気エネルギー貯蔵システムの模示図である。
【図４】図４は本発明による具体的な実施例における低温液体貯蔵タンクの高圧力下の分段蓄冷式超臨界圧縮空気エネルギー貯蔵システムの模示図である。
【図５】図５は本発明による具体的な実施例におけるコールドボックスを備える分段蓄冷式超臨界圧縮空気エネルギー貯蔵システムの模示図である。
【発明を実施するための形態】
【００５７】
本発明の目的、技術案及び利点をさらに明瞭にするために、以下、具体的な実施例を結合しながら、図面を参照して本発明をさらに詳細に説明する。
【００５８】
なお、図面や明細書の記載において、類似や同一の部分はいずれも同一の符号を用いる。かつ図面において、便宜上、実施例における形状や厚さを拡大することや簡略化することができる。また、図示されていない素子または実現形態は、当業者にとって公知のものである。また、本文は特定値を含むパラメータの模範を提供可能であるが、理解できるように、パラメータは相応する値に確実に等しい必要がなく、所定の許容誤差または設計拘束の範囲内において相応する値に近い。
【００５９】
以下、上記実施例の上で、本発明の最も好ましい実施例が与えられる。なお、この最も好ましい実施例は本発明を理解するためのものにすぎず、本発明の保護範囲を限定するためのものではない。かつ、最も好ましい実施例における特徴は、特に説明がない限り、いずれも方法実施例及び装置実施例に同時に適用し、同一または異なる実施例に出現した技術特徴は、相互衝突しない限り、組み合わせて使用することができる。
【００６０】
本発明による分段蓄冷式超臨界圧縮空気エネルギー貯蔵システムは、導入されたガス状空気を液状空気に転化するための超臨界液化サブシステムと、液状空気をガス状空気に転化するための蒸発膨張サブシステムと、ガス状空気と液状空気との転化時に冷エネルギーを貯蔵及び／又は放出するための分段蓄冷サブシステムと、を備える。
【００６１】
分段蓄冷サブシステムは、少なくとも１つの液化コールドボックス、少なくとも１つの深冷蓄冷サイクル、及び少なくとも１つの中冷蓄冷サイクルを含み、深冷蓄冷サイクルは液化コールドボックスに接続され、深冷温度から常温までの冷エネルギーを放出し、中冷蓄冷サイクルは液化コールドボックスに接続され、深冷温度から中冷温度までの冷エネルギーを放出する。液化コールドボックスはそれぞれ、少なくとも１つの深冷サイクル内部流路、少なくとも１つの中冷サイクル内部流路、少なくとも１つの超臨界流路、少なくとも１つの冷エネルギー補償流路、及び少なくとも１つの冷エネルギー回収流路を含み、深冷蓄冷サイクルはそれぞれ、少なくとも１つの深冷貯蔵タンク、少なくとも１つの深冷サイクル送風機及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、液化コールドボックス中の深冷サイクル内部流路に接続されて完全的なサイクル流路を構成し、中冷蓄冷サイクルはそれぞれ、少なくとも１つの中冷貯蔵タンク、少なくとも１つの中冷サイクル送風機及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、液化コールドボックス中の中冷サイクル内部流路に接続されて完全的なサイクル流路を構成する。
【００６２】
分段蓄冷サブシステムは少なくとも１つの蒸発コールドボックスをさらに含み、前記蒸発コールドボックスは、少なくとも１つの深冷蓄冷サイクル及び少なくとも１つの中冷蓄冷サイクルを液化コールドボックスと共用し、深冷蓄冷サイクルは蒸発コールドボックスに接続され、深冷温度から常温までの冷エネルギーを貯蔵し、中冷蓄冷サイクルは蒸発コールドボックスに接続され、深冷温度から中冷温度までの冷エネルギーを貯蔵する。蒸発コールドボックスは、少なくとも１つの深冷サイクル内部流路、少なくとも１つの中冷サイクル内部流路、及び少なくとも１つの超臨界流路を含み、深冷蓄冷サイクル中の深冷サイクル外部流路はそれぞれ、少なくとも１つの深冷貯蔵タンク、及び少なくとも１つの深冷サイクル送風機に接続されるとともに、蒸発コールドボックス中の深冷サイクル内部流路に接続されて完全的なサイクル流路を構成し、中冷蓄冷サイクル中の中冷サイクル外部流路はそれぞれ、少なくとも１つの中冷貯蔵タンク、及び少なくとも１つの中冷サイクル送風機に接続されるとともに、蒸発コールドボックス中の中冷サイクル内部流路に接続されて完全的なサイクル流路を構成する。
【００６３】
液化コールドボックス及び蒸発コールドボックスはいずれも、熱交換器群、保冷材料及び封止ケースを含み、熱交換器群は、少なくとも１つのプレートフィン式熱交換器、少なくとも１つのプレート式熱交換器、または少なくとも１つの管巻き式熱交換器である。保冷材料は、ガラス繊維マット、パーライト、ロックウール、及び真空パネルのうちの１種又は複数種を混合したものである。
【００６４】
本発明の実施例において、液化コールドボックス及び蒸発コールドボックスは同じコールドボックスを共用することができ、この際、コールドボックスは、液化コールドボックスまたは蒸発コールドボックスとして使用され、少なくとも１つの深冷蓄冷サイクル及び少なくとも１つの中冷蓄冷サイクルを含み、コールドボックスはそれぞれ、冷エネルギーの放出や貯蔵に使用可能であり、コールドボックスはそれぞれ、少なくとも１つの深冷サイクル内部流路、少なくとも１つの中冷サイクル内部流路、及び少なくとも１つの超臨界流路を含む。深冷蓄冷サイクルはコールドボックスに接続され、深冷温度から常温までの冷エネルギーを放出及び／又は貯蔵し、深冷蓄冷サイクルはそれぞれ、少なくとも１つの深冷貯蔵タンク、少なくとも１つの深冷サイクル送風機及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、コールドボックス中の深冷サイクル内部流路に接続されて完全的なサイクル流路を構成する。中冷蓄冷サイクルは、コールドボックスに接続され、深冷温度から中冷温度までの冷エネルギーを放出及び／又は貯蔵し、中冷蓄冷サイクルはそれぞれ、少なくとも１つの中冷貯蔵タンク、少なくとも１つの中冷サイクル送風機及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、コールドボックス中の中冷サイクル内部流路に接続されて完全的なサイクル流路を構成する。
【００６５】
中冷蓄冷サイクルの数が１よりも大きい場合、それぞれの中冷蓄冷サイクルにおいて異なる中冷温度間の冷エネルギーを貯蔵する。
【００６６】
少なくとも１つの中冷貯蔵タンクが２つの中冷貯蔵タンクである場合、２つの中冷貯蔵タンクは直列接続または並列接続され、２つの中冷貯蔵タンクが直列接続される場合、一方の中冷貯蔵タンクは深冷側と常温側とに分けられ、深冷から常温までの冷エネルギーを内部に貯蔵し、他方の中冷貯蔵タンクは中冷側と常温側とに分けられ、中冷から常温までの冷エネルギーを内部に貯蔵し、中冷サイクル送風機は２つの中冷貯蔵タンクの常温側間に直列接続され、２つの中冷貯蔵タンクが並列接続される場合、２つの中冷貯蔵タンクはいずれも深冷から中冷までの冷エネルギーを内部に貯蔵する。
【００６７】
深冷貯蔵タンク及び中冷貯蔵タンクはいずれも内部に耐低温蓄冷材料が充填される固定式充填ベッド構造であり、サイクル作動媒体は充填された耐低温蓄冷材料の隙間を流れるとともに、冷量を交換し、サイクル作動媒体は、空気、窒素ガス、アルゴンガス及びヘリウムガスのうちの１種又は複数種を混合したものであり、耐低温蓄冷材料は、セラミック、石、アルミナ、金属、パッケージされた相変化粒子及び化学反応粒子のうちの１種又は複数種を混合したものである。
【００６８】
深冷サイクル送風機及び中冷サイクル送風機はいずれも両方向サイクル送風機であり、送風機の流路が封止され、送風量が調節可能である。
【００６９】
深冷温度は低温断熱貯蔵タンク内の低温液体温度＋３０Ｋを超えず、中冷温度は深冷温度と常温との間にある。
【００７０】
超臨界液化サブシステムは、モータ、少なくとも１つの多段圧縮機、乾燥浄化装置、割合調節装置、液体膨張装置、気液分離器及び低温断熱貯蔵タンクを含み、モータは多段圧縮機に軸接続され、多段圧縮機間の接続は、軸接続とガス路接続との両方を含み、乾燥浄化装置は多段圧縮機のガス路上に設けられ、空気中の水蒸気、二酸化炭素、アルカン系成分の含有量を低減させるためのものであり、モータは、導入されたガス状空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入る。超臨界液化サブシステムの割合調節装置内部には、その分流した２つの回路中の超臨界空気の流量割合を調節するための流量調節機構が設けられる。
【００７１】
蒸発膨張サブシステムは、少なくとも１つの低温ポンプ、多段膨張機及び発電機を含み、低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は多段膨張機に入って仕事し、発電機を駆動して発電させ、発電機は多段膨張機に軸接続され、多段膨張機の接続は、軸接続とガス路接続との両方を含む。
【００７２】
蒸発膨張サブシステムは多段膨張機出口における高温熱エネルギーを回収するための予熱機をさらに備え、前記予熱機は超臨界空気が多段膨張機に入る前の位置に設けられ、かつ多段膨張機出口の排ガスが当該予熱機に入ってガス路回路が形成される。予熱器は、プレートフィン式、プレート式、シェル・チューブ式、スクリュープレート式熱交換器のうちの１種又は複数種の組み合わせである。
【００７３】
該圧縮空気エネルギー貯蔵システムは、少なくとも１つの蓄熱タンク、少なくとも１つの常温タンク、少なくとも２つの再生器及び少なくとも２つの再熱器を含む蓄熱・熱交換サブシステムをさらに備え、各再生器は互いに独立しており、各再熱器は互いに独立しており、常温タンクの出口は各再生器の一端に接続され、それぞれの再生器の他端が蓄熱タンクの入口に接続され、蓄熱タンクの出口は各再熱器の一端に接続され、それぞれの再熱器の他端が常温タンクの入口に接続され、少なくとも１つの再生器は超臨界液化サブシステムの多段圧縮機間に同時接続されるとともに、少なくとも１つの再生器は超臨界液化サブシステムの多段圧縮機と割合調節装置との間に同時接続され、少なくとも１つの再熱器は蒸発により形成された超臨界空気が多段膨張機に入る前の位置に同時接続されるとともに、少なくとも１つの再熱器は蒸発膨張サブシステムにおけるガス路の多段膨張機間に同時接続される。蓄熱・熱交換サブシステムは、再熱器の出口と常温タンクの入口との間にあり、再熱器の出口における蓄熱作動媒体の余熱を回収するための余熱利用装置をさらに備える。蓄熱・熱交換サブシステムの余熱利用装置は、熱供給熱交換器または冷凍機群または両者の組み合わせである。
【００７４】
該圧縮空気エネルギー貯蔵システムは、冷エネルギーを自主的に補償する冷エネルギー補償サブシステムをさらに備え、具体的に、分段蓄冷サブシステムが、少なくとも１つの液化コールドボックス及び少なくとも１つの蒸発コールドボックスを含むとき、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻り、あるいは、
分段蓄冷サブシステムは、液化及び蒸発に同時使用される少なくとも１つのコールドボックスを含むとき、コールドボックスが冷エネルギー補償サブシステムに接続され、少なくとも１つの冷エネルギー補償流路及び少なくとも１つの冷エネルギー回収流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る。
【００７５】
本発明による分段蓄冷式超臨界圧縮空気エネルギー貯蔵方法は、分段蓄冷式超臨界圧縮空気エネルギー貯蔵システムに応用され、図１に示すように、本発明による具体的な実施例における分段蓄冷式超臨界圧縮空気エネルギー貯蔵方法のフロー図は以下のステップを含む。
【００７６】
Ｓ１０１：超臨界液化サブシステムが、導入されたガス状空気を液状空気に転化することにおいて、具体的に、モータは、導入された空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入る。
【００７７】
Ｓ１０２：蒸発膨張サブシステムが、液状空気をガス状空気に転化することにおいて、具体的に、低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は多段膨張機に入って仕事し、発電機を駆動して発電させる。
【００７８】
Ｓ１０３：分段蓄冷サブシステムが、ガス状空気と液状空気との転化時に冷エネルギーを貯蔵及び／又は放出することにおいて、具体的に、サイクル送風機はサイクル作動媒体を駆動し、深冷貯蔵タンク及び中冷貯蔵タンク内の冷エネルギーを液化コールドボックスの深冷サイクル内部流路及び中冷サイクル内部流路にそれぞれ導入し、超臨界流路内の超臨界空気の液化のために冷エネルギーを提供し、サイクル送風機はサイクル作動媒体を駆動し、深冷貯蔵タンク及び中冷貯蔵タンク内の冷エネルギーを蒸発コールドボックスの深冷サイクル内部流路及び中冷サイクル内部流路にそれぞれ導入し、超臨界流路内の超臨界空気の蒸発のために熱エネルギーを提供して冷エネルギーを貯蔵する。
【００７９】
本発明の分段蓄冷式超臨界圧縮空気エネルギー貯蔵方法はさらに以下のステップを含む。
【００８０】
Ｓ１０４：蓄熱・熱交換サブシステムが、昇温された蓄熱作動媒体を蓄熱タンクに貯蔵すること、及び降温された蓄熱作動媒体を常温タンクに戻すことにおいて、具体的に、各段再生器内において圧縮熱を吸収して昇温した蓄熱作動媒体を蓄熱タンク内に貯蔵し、各段再熱器液側出口の蓄熱作動媒体は余熱利用装置により蓄熱作動媒体の熱エネルギーをさらに吸収するとともに常温付近の冷エネルギーを放出し、降温後の蓄熱作動媒体を常温タンク内に戻す。
【００８１】
本発明の分段蓄冷式超臨界圧縮空気エネルギー貯蔵方法はさらに以下のステップを含む。
【００８２】
Ｓ１０５：冷エネルギー補償サブシステムが冷エネルギーを自主的に補償することにおいて、具体的に、分段蓄冷サブシステムが、少なくとも１つの液化コールドボックス及び少なくとも１つの蒸発コールドボックスを含む場合、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻り、あるいは、
分段蓄冷サブシステムは、液化及び蒸発に同時使用される少なくとも１つのコールドボックスを含むとき、コールドボックスが冷エネルギー補償サブシステムに接続され、少なくとも１つの冷エネルギー補償流路及び少なくとも１つの冷エネルギー回収流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る。
【００８３】
実施例１
図２は本発明による具体的な実施例における単深冷蓄冷サイクルと中冷貯蔵タンクとの組み合わせによる分段蓄冷式超臨界圧縮空気エネルギー貯蔵システムの模示図である。
【００８４】
この実施例では、作動媒体は熱伝導オイルであり、圧縮機は２段圧縮であり、膨張機は２段膨張であり、１つの蓄熱タンク、１つの常温タンク、１つの低温液体貯蔵タンク、及び１つの分段蓄冷サブシステムを使用する。分段蓄冷サブシステムは１つの深冷貯蔵タンク、１つの中冷貯蔵タンク、１つの液化コールドボックス、及び１つの蒸発コールドボックスを含み、余熱利用装置は吸収式冷凍機群であり、低温膨張機は２段膨張であり、低温液体貯蔵タンク内の圧力は常圧に近い。本実施例による液化コールドボックスの冷エネルギー回収流路４０３５により還流されたガスは初段圧縮機１０１の入口に戻る。
【００８５】
使用フローは以下の通りである。
【００８６】
１．エネルギー貯蔵の開始段階において、モータ１００は、常圧空気及び冷エネルギー回収流路４０３５の出口における回流空気を圧縮するように初段圧縮機１０１を駆動し、圧縮空気は段間における再生器２０３を介して熱量を交換してから乾燥浄化装置１０２に導入されて水蒸気、二酸化炭素、アルカン系成分の含有量が低減され、乾燥浄化された圧縮空気は終段圧縮機１０３内においてさらに圧縮されて熱交換された後、超臨界状態で割合調節装置１０４に導入される。各段の再生器２０３及び２０４内において圧縮熱を吸収して昇温された蓄熱作動媒体は蓄熱タンク２０１内に貯蔵される。
【００８７】
２．サイクル送風機４０５及び４０６はサイクル作動媒体を駆動し、深冷貯蔵タンク４０１及び中冷貯蔵タンク４０２内の冷エネルギーを液化コールドボックス４０３の深冷サイクル内部流路４０３１及び中冷サイクル内部流路４０３２にそれぞれ導入し、超臨界流路４０３３内の超臨界空気の液化のために冷量を提供する。深冷サイクル外部流路４０５１は深冷貯蔵タンク４０１及び深冷サイクル送風機４０５に接続されるとともに、液化コールドボックス４０３中の深冷サイクル内部流路４０３２に接続されて完全的なサイクル流路を構成する。中冷サイクル外部流路４０６１は中冷貯蔵タンク４０２及び中冷サイクル送風機４０６に接続されるとともに、液化コールドボックス４０３中の中冷サイクル内部流路４０３１に接続されて完全的なサイクル流路を構成する。
【００８８】
３．超臨界空気は割合調節装置１０４により分流されてから所定の流量割合で送り出されて、その大部分が液化コールドボックスの超臨界流路４０３３に入って冷エネルギーを吸収して降温されてから高圧流体に液化され、残りの超臨界空気は液化コールドボックスの冷エネルギー補償流路４０３４に入って、一部の冷エネルギーを吸収して降温されてから低温膨張機群１０８によりさらに膨張されて常圧に近い低温ガスに降温され、システム全体に低温冷エネルギーを補償する。
【００８９】
４．超臨界空気は液化されてから液体膨張装置１０５により膨張されて常圧に近い気液混合流体になるとともに、気液分離器１０６に入り、分離された低温ガスと冷エネルギー補償回路４０３４の出口における膨張降温後の低温ガスとは混合機１０９内において混合し、混合後の常圧に近い低温ガスは液化コールドボックスの冷補償流路４０３５に導入され、冷エネルギーを回収して冷エネルギーの不足を補償する。気液分離器１０６内における分離された液状空気は収集されかつ低温断熱貯蔵タンク１０７内に貯蔵され、エネルギーの貯蔵を完成する。
【００９０】
５．エネルギー放出段階において、液状空気は低温ポンプ３０１により圧力が向上されてから蒸発コールドボックス４０４に導入され、深冷貯蔵タンク４０１'及び中冷貯蔵タンク４０２'内のサイクル作動媒体はサイクル送風機４０５'及び４０６'により駆動され、蒸発コールドボックスの深冷サイクル内部流路４０４１及び中冷サイクル内部流路４０４２にそれぞれ導入され、サイクル作動媒体は蒸発コールドボックス内において蒸発流路４０４３内の液状空気の蒸発による放出冷量を吸収してから深冷貯蔵タンク４０１'及び中冷貯蔵タンク４０２'内にそれぞれ導入され、冷エネルギーの回収及び貯蔵を完成する。蒸発コールドボックス４０４と液化コールドボックス４０３とは、深冷蓄冷サイクル及び中冷蓄冷サイクルを共用する。深冷貯蔵タンク４０１と深冷貯蔵タンク４０１'とは実際に同一の深冷貯蔵タンクであり、中冷貯蔵タンク４０２と中冷貯蔵タンク４０２'とは実際に同一の中冷貯蔵タンクである。深冷サイクル送風機４０５と深冷サイクル送風機４０５'とは実際に同一の深冷サイクル送風機であり、中冷サイクル送風機４０６と中冷サイクル送風機４０６'とは実際に同一の中冷サイクル送風機であり、深冷サイクル外部流路４０５１と深冷サイクル外部流路４０５１'とは実際に同一の深冷サイクル外部流路であり、中冷サイクル外部流路４０６１と中冷サイクル外部流路４０６１'とは実際に同一の中冷サイクル外部流路である。蒸発コールドボックスは、深冷サイクル内部流路４０４１、中冷サイクル内部流路４０４２及び超臨界流路４０４３を含む。深冷蓄冷サイクル中の深冷サイクル外部流路４０５１'は深冷貯蔵タンク４０１'及び深冷サイクル送風機４０５'に接続されるとともに、蒸発コールドボックス４０４中の深冷サイクル内部流路４０４２に接続されて完全的なサイクル流路を構成する。中冷蓄冷サイクル中の中冷サイクル外部流路４０６１'は、中冷貯蔵タンク４０２'及び中冷サイクル送風機４０６'に接続されるとともに、蒸発コールドボックス４０４中の中冷サイクル内部流路４０４１に接続されて完全的なサイクル流路を構成する。
【００９１】
６．蒸発コールドボックスの蒸発流路４０４３出口における超臨界空気は予熱器３０２内に導入されるとともに、終段膨張機３０４出口における高温度の排ガスと熱量を交換し、超臨界空気の温度をさらに向上させる。予熱後の超臨界空気は再熱器２０５を介して蓄熱作動媒体の熱量を吸収してから初段膨張機３０３に入って仕事し、発電機３０５を駆動して発電させ、初段膨張機３０３出口における圧縮空気は終段再熱器２０６内に入って改めて加熱されてから終段膨張機３０４に入って膨張して仕事する。
【００９２】
７．各段の再熱器２０５及び２０６の液側出口における蓄熱作動媒体は依然として高い温度を有し、余熱利用装置２０７を介して蓄熱作動媒体の熱エネルギーをさらに吸収するとともに、常温付近の冷エネルギーを放出し、降温された蓄熱作動媒体は常温タンク２０２内へ戻る。
【００９３】
実施例２
図３は本発明による具体的な実施例における中冷貯蔵タンクがダブルタンク直列接続構造である分段蓄冷式超臨界圧縮空気エネルギー貯蔵システムの模示図である。図３に示すように、実施例１に比べて、その改善は下記の通りである。少なくとも１つの中冷貯蔵タンクが２つの中冷貯蔵タンクである場合、下中冷貯蔵タンク４０２１と上中冷貯蔵タンク４０２２とは直列接続され、下中冷貯蔵タンク４０２１は、中冷から常温までの冷エネルギーを内部に貯蔵し、上中冷貯蔵タンク４０２２は、深冷から常温までの冷エネルギーを内部に貯蔵し、下中冷貯蔵タンク４０２１と上中冷貯蔵タンク４０２２との常温側は中冷サイクル送風機４０６を介して接続され、中冷サイクル送風機４０６は常温下で運行し、圧縮熱により送風機出口における中冷温度サイクル作動媒体の温度が大幅に向上することによる冷エネルギー損失を回避できる利点を有する。同様に、下中冷貯蔵タンク４０２１'と上中冷貯蔵タンク４０２２'とが直列接続され、下中冷貯蔵タンク４０２１'は、中冷から常温までの冷エネルギーを内部に貯蔵し、上中冷貯蔵タンク４０２２'は、深冷から常温までの冷エネルギーを内部に貯蔵し、下中冷貯蔵タンク４０２１'と上中冷貯蔵タンク４０２２'との常温側は中冷サイクル送風機４０６'を介して接続され、中冷サイクル送風機４０６'は常温下で運行し、圧縮熱により送風機出口における中冷温度サイクル作動媒体の温度が大幅に向上することによる冷エネルギー損失を回避できる利点を有する。中冷サイクル送風機４０６と中冷サイクル送風機４０６'とは実際に同一の中冷サイクル送風機であり、下中冷貯蔵タンク４０２１と下中冷貯蔵タンク４０２１'とは実際に同一の下中冷貯蔵タンクであり、上中冷貯蔵タンク４０２２と上中冷貯蔵タンク４０２２'とは実際に同一の上中冷貯蔵タンクである。
【００９４】
実施例３
図４は本発明による具体的な実施例における低温液体貯蔵タンクの高圧力下の分段蓄冷式超臨界圧縮空気エネルギー貯蔵システムの模示図である。図４に示すように、実施例１に比べて、その改善は下記の通りである。液化コールドボックスの冷エネルギー回収流路４０３５から還流した低温常圧ガスは初段圧縮機１０１の入口に戻らずに、乾燥浄化装置１０２と終段圧縮機との間のガス路に戻る。この際、低温断熱貯蔵タンク１０７内の液状空気を貯蔵する圧力は常圧に近いのではなく、常圧よりもはるかに高い。
【００９５】
エネルギー貯蔵段階において、液化コールドボックスの冷エネルギー補償流路４０３４内の超臨界流体は一部の冷エネルギーを吸収して降温してから２段の低温膨張機１０８により低温断熱貯蔵タンク１０７内の圧力に近いように膨張され、かつ気液分離器内で分離された低温ガスと混合機１０９内において混合してから冷エネルギー回収流路４０３５に導入され、冷エネルギー回収流路４０３５は終段圧縮機１０３の入口に接続され、初段圧縮機１０１により圧縮された圧縮空気と混合してから終段圧縮機１０３に導入されて超臨界空気に圧縮される。
【００９６】
実施例４
図５は本発明による具体的な実施例におけるコールドボックスを備える分段蓄冷式超臨界圧縮空気エネルギー貯蔵システムの模示図である。図５に示すように、実施例１に比べて、その改善は下記の通りである。液化コールドボックス及び蒸発コールドボックスは同一のコールドボックスを共用し、即ち１つのコールドボックス４０７のみを設け、このコールドボックス４０７は冷エネルギーを放出するための液化コールドボックスとして用いられてもよく、冷エネルギーを貯蔵するための蒸発コールドボックスとして用いられてもよい。エネルギー貯蔵の開始段階において、第１の弁Ｇ１と第３の弁Ｇ３がオンされ、第２の弁Ｇ２と第４の弁Ｇ４がオフされる。超臨界空気は第２の弁Ｇ２を介して割合調節装置１０４に入る。超臨界空気は割合調節装置１０４により分流されてから、その大部分がコールドボックスの超臨界流路４０３３に入り、そして第３の弁Ｇ３を介して液体膨張装置１０５に入る。エネルギー放出段階において、第１の弁Ｇ１と第３の弁Ｇ３はオフされ、第２の弁Ｇ２と第４の弁Ｇ４はオンされる。液状空気は低温ポンプ３０１により圧力が向上されてから第４の弁Ｇ４を介して液化コールドボックスの超臨界流路４０３３に導入され、超臨界流路４０３３により送り出された超臨界空気は割合調節装置１０４により第２の弁Ｇ２を介して予熱器３０２内に導入される。
【００９７】
上記の具体的な実施例により、本発明の目的、技術案及び有益効果をさらに詳細に説明したが、理解できるように、上記の記載は本発明の具体的な実施例にすぎず、本発明を限定するものではなく、本発明の精神と原則から逸脱しない限り、いかなる補正、同等置換え、改善等も本発明の保護範囲内に含まれるべきである。
【符号の説明】
【００９８】
１００  モータ
１０１  初段圧縮機
１０２  乾燥浄化装置
１０３  終段圧縮機
１０４  割合調節装置
１０５  液体膨張装置
１０６  気液分離器
１０７  低温液体貯蔵タンク
１０８  低温膨張機群
１０９  混合機
２０１  蓄熱タンク
２０２  常温タンク
２０３  初段再生器
２０４  終段再生器
２０５  初段再熱器
２０６  終段再熱器
２０７  余熱利用装置
３０１  低温ポンプ
３０２  予熱器
３０３  初段膨張機
３０４  終段膨張機
３０５  発電機
４０１，４０１'  深冷貯蔵タンク
４０２，４０２'  中冷貯蔵タンク
４０２１，４０２１'  下中冷貯蔵タンク
４０２２，４０２２'  上中冷貯蔵タンク
４０３  液化コールドボックス
４０３１  液化コールドボックス深冷サイクル内部流路
４０３２  液化コールドボックス中冷サイクル内部流路
４０３３  液化コールドボックス超臨界流路
４０３４  液化コールドボックス冷エネルギー補償流路
４０３５  液化コールドボックス冷エネルギー回収流路
４０４  蒸発コールドボックス
４０４１  蒸発コールドボックス深冷サイクル内部流路
４０４２  蒸発コールドボックス中冷サイクル内部流路
４０４３  蒸発コールドボックス蒸発流路
４０５，４０５'  深冷サイクル送風機
４０５１，４０５１'  深冷サイクル外部流路
４０６，４０６'  中冷サイクル送風機
４０６１，４０６１'  中冷サイクル外部流路
４０７  液化蒸発両用コールドボックス
【図１】
2020528509.tif 000003
【図２】
2020528509.tif 000004
【図３】
2020528509.tif 000005
【図４】
2020528509.tif 000006
【図５】
2020528509.tif 000007
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
導入されたガス状空気を液状空気に転化するための超臨界液化サブシステムと、液状空気をガス状空気に転化するための蒸発膨張サブシステムと、を備える分段蓄冷式超臨界圧縮空気エネルギー貯蔵システムにおいて、
ガス状空気と液状空気との転化時に冷エネルギーを貯蔵及び／又は放出するための分段蓄冷サブシステムをさらに備える分段蓄冷式超臨界圧縮空気エネルギー貯蔵システム。
【請求項２】
前記分段蓄冷サブシステムは、少なくとも１つの液化コールドボックス、少なくとも１つの深冷蓄冷サイクル、及び少なくとも１つの中冷蓄冷サイクルを含み、
前記深冷蓄冷サイクルは液化コールドボックスに接続され、深冷温度から常温までの冷エネルギーを貯蔵及び／又は放出し、
前記中冷蓄冷サイクルは液化コールドボックスに接続され、深冷温度から中冷温度までの冷エネルギー又は中冷温度から常温までの冷エネルギーを貯蔵及び／又は放出する、請求項１に記載の分段蓄冷式超臨界圧縮空気エネルギー貯蔵システム。
【請求項３】
前記液化コールドボックスはそれぞれ、少なくとも１つの深冷サイクル内部流路、少なくとも１つの中冷サイクル内部流路、少なくとも１つの超臨界流路、少なくとも１つの冷エネルギー補償流路、及び少なくとも１つの冷エネルギー回収流路を含み、
前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記液化コールドボックス中の深冷サイクル内部流路に接続されて完全的なサイクル流路を構成し、
前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記液化コールドボックス中の中冷サイクル内部流路に接続されて完全的なサイクル流路を構成する、請求項２に記載の分段蓄冷式超臨界圧縮空気エネルギー貯蔵システム。
【請求項４】
前記分段蓄冷サブシステムは少なくとも１つの蒸発コールドボックスをさらに含み、前記蒸発コールドボックスは少なくとも１つの深冷蓄冷サイクル及び少なくとも１つの中冷蓄冷サイクルを液化コールドボックスと共用し、
前記蒸発コールドボックスは、少なくとも１つの深冷サイクル内部流路、少なくとも１つの中冷サイクル内部流路、及び少なくとも１つの超臨界流路を含み、
前記深冷蓄冷サイクルは蒸発コールドボックスに接続され、深冷温度から常温までの冷エネルギーを貯蔵し、
前記中冷蓄冷サイクルは蒸発コールドボックスに接続され、深冷温度から中冷温度までの冷エネルギー又は中冷温度から常温までの冷エネルギーを貯蔵する、請求項３に記載の分段蓄冷式超臨界圧縮空気エネルギー貯蔵システム。
【請求項５】
前記分段蓄冷サブシステムは、少なくとも１つのコールドボックス、少なくとも１つの深冷蓄冷サイクル、及び少なくとも１つの中冷蓄冷サイクルを含み、
コールドボックスは、液化コールドボックスまたは蒸発コールドボックスとして使用され、
深冷蓄冷サイクルはコールドボックスに接続され、コールドボックスが液化コールドボックスであるとき、深冷温度から常温までの冷エネルギーを放出し、コールドボックスが蒸発コールドボックスであるとき、深冷温度から常温までの冷エネルギーを貯蔵し、
中冷蓄冷サイクルはコールドボックスに接続され、コールドボックスが液化コールドボックスであるとき、深冷温度から中冷温度までの冷エネルギーを放出する、又は中冷温度から常温までの冷エネルギーを貯蔵し、コールドボックスが蒸発コールドボックスであるとき、深冷温度から中冷温度までの冷エネルギーを貯蔵する、又は中冷温度から常温までの冷エネルギーを放出する、請求項１に記載の分段蓄冷式超臨界圧縮空気エネルギー貯蔵システム。
【請求項６】
前記コールドボックスはそれぞれ、少なくとも１つの深冷サイクル内部流路、少なくとも１つの中冷サイクル内部流路、少なくとも１つの超臨界流路、及び少なくとも１つの冷エネルギー回収流路を含み、
前記深冷蓄冷サイクルはそれぞれ、少なくとも１つの深冷貯蔵タンク、少なくとも１つの深冷サイクル送風機、及び少なくとも１つの深冷サイクル外部流路を含み、深冷サイクル外部流路はそれぞれ、少なくとも１つの深冷貯蔵タンク、及び少なくとも１つの深冷サイクル送風機に接続されるとともに、前記コールドボックス中の深冷サイクル内部流路に接続されて完全的なサイクル流路を構成し、
前記中冷蓄冷サイクルはそれぞれ、少なくとも１つの中冷貯蔵タンク、少なくとも１つの中冷サイクル送風機、及び少なくとも１つの中冷サイクル外部流路を含み、中冷サイクル外部流路はそれぞれ、少なくとも１つの中冷貯蔵タンク、及び少なくとも１つの中冷サイクル送風機に接続されるとともに、前記コールドボックス中の中冷サイクル内部流路に接続されて完全的なサイクル流路を構成する、請求項５に記載の分段蓄冷式超臨界圧縮空気エネルギー貯蔵システム。
【請求項７】
前記中冷蓄冷サイクルの数が１よりも大きい場合、それぞれの中冷蓄冷サイクルにおいて異なる中冷温度間の冷エネルギーを貯蔵する、請求項２に記載の分段蓄冷式超臨界圧縮空気エネルギー貯蔵システム。
【請求項８】
前記深冷貯蔵タンク及び中冷貯蔵タンクはいずれも内部に耐低温蓄冷材料が充填される固定式充填ベッド構造であり、サイクル作動媒体は充填された耐低温蓄冷材料の隙間を流れるとともに、冷量を交換し、
前記サイクル作動媒体は、空気、窒素ガス、アルゴンガス及びヘリウムガスのうちの１種又は複数種を混合したものであり、前記耐低温蓄冷材料は、セラミック、石、アルミナ、金属、パッケージされた相変化粒子及び化学反応粒子のうちの１種又は複数種を混合したものである、請求項４に記載の分段蓄冷式超臨界圧縮空気エネルギー貯蔵システム。
【請求項９】
前記深冷サイクル送風機及び中冷サイクル送風機はいずれも両方向サイクル送風機であり、送風機の流路が封止され、送風量が調節可能である、請求項４に記載の分段蓄冷式超臨界圧縮空気エネルギー貯蔵システム。
【請求項１０】
深冷温度は低温断熱貯蔵タンク内の低温液体温度＋３０Ｋを超えず、中冷温度は深冷温度と常温との間にある、請求項２に記載の分段蓄冷式超臨界圧縮空気エネルギー貯蔵システム。
【請求項１１】
前記超臨界液化サブシステムは、モータ、少なくとも１つの多段圧縮機、乾燥浄化装置、割合調節装置、液体膨張装置、気液分離器及び低温断熱貯蔵タンクを含み、
モータは多段圧縮機に軸接続され、多段圧縮機間の接続は、軸接続とガス路接続との両方を含み、乾燥浄化装置は多段圧縮機のガス路上に設けられ、空気中の水蒸気、二酸化炭素、アルカン系成分の含有量を低減させるためのものであり、
モータは、導入されたガス状空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入り、
前記蒸発膨張サブシステムは、少なくとも１つの低温ポンプ、多段膨張機及び発電機を含み、低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は再熱器により加熱されてから多段膨張機に入って仕事し、発電機を駆動して発電させ、発電機は多段膨張機に軸接続され、多段膨張機の接続は、軸接続とガス路接続との両方を含む、請求項６に記載の分段蓄冷式超臨界圧縮空気エネルギー貯蔵システム。
【請求項１２】
超臨界液化サブシステムの割合調節装置内部には、その分流した２つの回路中の超臨界空気の流量割合を調節するための流量調節機構が設けられる、請求項１１に記載の分段蓄冷式超臨界圧縮空気エネルギー貯蔵システム。
【請求項１３】
前記蒸発膨張サブシステムは多段膨張機出口における高温熱エネルギーを回収するための予熱機をさらに備え、前記予熱機は超臨界空気が多段膨張機に入る前の位置に設けられ、かつ多段膨張機出口の排ガスが当該予熱機に入ってガス路回路が形成される、請求項１１に記載の分段蓄冷式超臨界圧縮空気エネルギー貯蔵システム。
【請求項１４】
少なくとも１つの蓄熱タンク、少なくとも１つの常温タンク、少なくとも１つの再生器及び少なくとも１つの再熱器を含む蓄熱・熱交換サブシステムをさらに備え、各再生器は互いに独立しており、各再熱器は互いに独立しており、
常温タンクの出口は各再生器の一端に接続され、それぞれの再生器の他端が蓄熱タンクの入口に接続され、
蓄熱タンクの出口は各再熱器の一端に接続され、それぞれの再熱器の他端が常温タンクの入口に接続され、
少なくとも１つの再生器は超臨界液化サブシステムの多段圧縮機の後に同時接続され、
少なくとも１つの再熱器は蒸発膨張サブシステムにおけるガス路の多段膨張機の前に同時接続される、請求項１１に記載の分段蓄冷式超臨界圧縮空気エネルギー貯蔵システム。
【請求項１５】
前記蓄熱・熱交換サブシステムは、再熱器の出口と常温タンクの入口との間にあり、再熱器の出口における蓄熱作動媒体の余熱を回収するための余熱利用装置をさらに備える、請求項１４に記載の分段蓄冷式超臨界圧縮空気エネルギー貯蔵システム。
【請求項１６】
蓄熱・熱交換サブシステムの余熱利用装置は、熱供給熱交換器または冷凍機群または両者の組み合わせである、請求項１５に記載の分段蓄冷式超臨界圧縮空気エネルギー貯蔵システム。
【請求項１７】
低温膨張機群及び混合機を含む冷エネルギー補償サブシステムをさらに備え、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻る、請求項１４に記載の分段蓄冷式超臨界圧縮空気エネルギー貯蔵システム。
【請求項１８】
前記コールドボックスは冷エネルギー補償サブシステムに接続されたとき、少なくとも１つの冷エネルギー補償流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る、請求項１７に記載の分段蓄冷式超臨界圧縮空気エネルギー貯蔵システム。
【請求項１９】
請求項１に記載の分段蓄冷式超臨界圧縮空気エネルギー貯蔵システムに応用される分段蓄冷式超臨界圧縮空気エネルギー貯蔵方法であって、
超臨界液化サブシステムが、導入されたガス状空気を液状空気に転化することと、
蒸発膨張サブシステムが、液状空気をガス状空気に転化することと、
分段蓄冷サブシステムが、ガス状空気と液状空気との転化時に冷エネルギーを貯蔵及び／又は放出することと、
を含む分段蓄冷式超臨界圧縮空気エネルギー貯蔵方法。
【請求項２０】
前記超臨界液化サブシステムが、導入されたガス状空気を液状空気に転化することにおいて、具体的に、
モータは、導入された空気が多段圧縮により超臨界空気を形成するように多段圧縮機を駆動し、多段圧縮機出口の超臨界空気は割合調節装置に入って分流し、分流後の一方の超臨界空気は分段蓄冷サブシステムにおける液化コールドボックスの超臨界流路に入ってから、液体膨張装置により膨張され、気液分離器により分離されて液状空気に形成され、液状空気は気液分離器の液側出口を介して低温断熱貯蔵タンクに入り、
前記蒸発膨張サブシステムが、液状空気をガス状空気に転化することにおいて、具体的に、
低温断熱貯蔵タンクにより送り出された液状空気は低温ポンプ、分段蓄冷サブシステムにおける蒸発コールドボックスの超臨界流路を経過してから超臨界空気に蒸発形成され、蒸発により形成された超臨界空気は多段膨張機に入って仕事し、発電機を駆動して発電させ、
蓄熱・熱交換サブシステムが、昇温された蓄熱作動媒体を蓄熱タンクに貯蔵すること、及び降温された蓄熱作動媒体を常温タンクに戻すことにおいて、具体的に、
各段再生器内において圧縮熱を吸収して昇温した蓄熱作動媒体を蓄熱タンク内に貯蔵し、
各段再熱器内の高温蓄熱作動媒体は超臨界空気と熱交換して降温され、各段再熱器液側出口の蓄熱作動媒体は余熱利用装置により蓄熱作動媒体の熱エネルギーをさらに吸収するとともに常温付近の冷エネルギーを放出し、降温後の蓄熱作動媒体を常温タンク内に戻す、請求項１９に記載の分段蓄冷式超臨界圧縮空気エネルギー貯蔵方法。
【請求項２１】
分段蓄冷サブシステムが、ガス状空気と液状空気との転化時に冷エネルギーを貯蔵及び／又は放出することにおいて、具体的に、
サイクル送風機はサイクル作動媒体を駆動し、深冷貯蔵タンク及び中冷貯蔵タンク内の冷エネルギーを液化コールドボックスの深冷サイクル内部流路及び中冷サイクル内部流路にそれぞれ導入し、超臨界流路内の超臨界空気の液化のために冷エネルギーを提供し、
サイクル送風機はサイクル作動媒体を駆動し、深冷貯蔵タンク及び中冷貯蔵タンク内の冷エネルギーを蒸発コールドボックスの深冷サイクル内部流路及び中冷サイクル内部流路にそれぞれ導入し、超臨界流路内の超臨界空気の蒸発のために熱エネルギーを提供して冷エネルギーを貯蔵する、請求項１９に記載の分段蓄冷式超臨界圧縮空気エネルギー貯蔵方法。
【請求項２２】
冷エネルギー補償サブシステムが冷エネルギーを自主的に補償することをさらに含み、
冷エネルギー補償サブシステムが冷エネルギーを自主的に補償することにおいて、具体的に、分段蓄冷サブシステムが、少なくとも１つの液化コールドボックス及び少なくとも１つの蒸発コールドボックスを含むとき、超臨界液化サブシステムの割合調節装置により分流された他方の超臨界空気は分段蓄冷サブシステムの液化コールドボックスの冷エネルギー補償流路に入って降温されてから低温膨張機群に入って膨張しさらに降温され、かつ混合機内において気液分離器における気側出口の低温空気と混合し、その後、分段蓄冷サブシステムの液化コールドボックスの冷エネルギー回収流路により冷エネルギーが回収されるとともに、多段圧縮機入口に戻りまたは多段圧縮機の各段圧縮機間の気路に戻り、あるいは、
分段蓄冷サブシステムは、液化及び蒸発に同時使用される少なくとも１つのコールドボックスを含むとき、コールドボックスが冷エネルギー補償サブシステムに接続され、少なくとも１つの冷エネルギー補償流路及び少なくとも１つの冷エネルギー回収流路をさらに含み、超臨界液化サブシステムの割合調節装置により分流された他方の超臨界空気は分段蓄冷サブシステムのコールドボックスの冷エネルギー補償流路に入って降温されてから低温膨張機群に入って膨張しさらに降温され、かつ混合機内において気液分離器における気側出口の低温空気と混合し、その後、分段蓄冷サブシステムのコールドボックスの冷エネルギー回収流路により冷エネルギーが回収されるとともに、多段圧縮機入口に戻りまたは多段圧縮機の各段圧縮機間の気路に戻る、請求項１９に記載の分段蓄冷式超臨界圧縮空気エネルギー貯蔵方法。
【手続補正２】
【補正対象書類名】明細書
【補正対象項目名】００８７
【補正方法】変更
【補正の内容】
【００８７】
２．サイクル送風機４０５及び４０６はサイクル作動媒体を駆動し、深冷貯蔵タンク４０１及び中冷貯蔵タンク４０２内の冷エネルギーを液化コールドボックス４０３の深冷サイクル内部流路４０３１及び中冷サイクル内部流路４０３２にそれぞれ導入し、超臨界流路４０３３内の超臨界空気の液化のために冷量を提供する。深冷サイクル外部流路４０５１は深冷貯蔵タンク４０１及び深冷サイクル送風機４０５に接続されるとともに、液化コールドボックス４０３中の深冷サイクル内部流路４０３１に接続されて完全的なサイクル流路を構成する。中冷サイクル外部流路４０６１は中冷貯蔵タンク４０２及び中冷サイクル送風機４０６に接続されるとともに、液化コールドボックス４０３中の中冷サイクル内部流路４０３２に接続されて完全的なサイクル流路を構成する。
【手続補正３】
【補正対象書類名】明細書
【補正対象項目名】００８９
【補正方法】変更
【補正の内容】
【００８９】
４．超臨界空気は液化されてから液体膨張装置１０５により膨張されて常圧に近い気液混合流体になるとともに、気液分離器１０６に入り、分離された低温ガスと冷エネルギー補償流路４０３４の出口における膨張降温後の低温ガスとは混合機１０９内において混合し、混合後の常圧に近い低温ガスは液化コールドボックスの冷エネルギー回収流路４０３５に導入され、冷エネルギーを回収して冷エネルギーの不足を補償する。気液分離器１０６内における分離された液状空気は収集されかつ低温断熱貯蔵タンク１０７内に貯蔵され、エネルギーの貯蔵を完成する。
【手続補正４】
【補正対象書類名】明細書
【補正対象項目名】００９０
【補正方法】変更
【補正の内容】
【００９０】
５．エネルギー放出段階において、液状空気は低温ポンプ３０１により圧力が向上されてから蒸発コールドボックス４０４に導入され、深冷貯蔵タンク４０１'及び中冷貯蔵タンク４０２'内のサイクル作動媒体はサイクル送風機４０５'及び４０６'により駆動され、蒸発コールドボックスの深冷サイクル内部流路４０４１及び中冷サイクル内部流路４０４２にそれぞれ導入され、サイクル作動媒体は蒸発コールドボックス内において蒸発流路４０４３内の液状空気の蒸発による放出冷量を吸収してから深冷貯蔵タンク４０１'及び中冷貯蔵タンク４０２'内にそれぞれ導入され、冷エネルギーの回収及び貯蔵を完成する。蒸発コールドボックス４０４と液化コールドボックス４０３とは、深冷蓄冷サイクル及び中冷蓄冷サイクルを共用する。深冷貯蔵タンク４０１と深冷貯蔵タンク４０１'とは実際に同一の深冷貯蔵タンクであり、中冷貯蔵タンク４０２と中冷貯蔵タンク４０２'とは実際に同一の中冷貯蔵タンクである。深冷サイクル送風機４０５と深冷サイクル送風機４０５'とは実際に同一の深冷サイクル送風機であり、中冷サイクル送風機４０６と中冷サイクル送風機４０６'とは実際に同一の中冷サイクル送風機であり、深冷サイクル外部流路４０５１と深冷サイクル外部流路４０５１'とは実際に同一の深冷サイクル外部流路であり、中冷サイクル外部流路４０６１と中冷サイクル外部流路４０６１'とは実際に同一の中冷サイクル外部流路である。蒸発コールドボックスは、深冷サイクル内部流路４０４１、中冷サイクル内部流路４０４２及び超臨界流路４０３３を含む。深冷蓄冷サイクル中の深冷サイクル外部流路４０５１'は深冷貯蔵タンク４０１'及び深冷サイクル送風機４０５'に接続されるとともに、蒸発コールドボックス４０４中の深冷サイクル内部流路４０４１に接続されて完全的なサイクル流路を構成する。中冷蓄冷サイクル中の中冷サイクル外部流路４０６１'は、中冷貯蔵タンク４０２'及び中冷サイクル送風機４０６'に接続されるとともに、蒸発コールドボックス４０４中の中冷サイクル内部流路４０４２に接続されて完全的なサイクル流路を構成する。
【手続補正５】
【補正対象書類名】明細書
【補正対象項目名】００９５
【補正方法】変更
【補正の内容】
【００９５】
エネルギー貯蔵段階において、液化コールドボックスの冷エネルギー補償流路４０３４内の超臨界流体は一部の冷エネルギーを吸収して降温してから２段の低温膨張機群１０８により低温断熱貯蔵タンク１０７内の圧力に近いように膨張され、かつ気液分離器内で分離された低温ガスと混合機１０９内において混合してから冷エネルギー回収流路４０３５に導入され、冷エネルギー回収流路４０３５は終段圧縮機１０３の入口に接続され、初段圧縮機１０１により圧縮された圧縮空気と混合してから終段圧縮機１０３に導入されて超臨界空気に圧縮される。
【手続補正６】
【補正対象書類名】明細書
【補正対象項目名】００９８
【補正方法】変更
【補正の内容】
【００９８】
１００  モータ
１０１  初段圧縮機
１０２  乾燥浄化装置
１０３  終段圧縮機
１０４  割合調節装置
１０５  液体膨張装置
１０６  気液分離器
１０７  低温断熱貯蔵タンク
１０８  低温膨張機群
１０９  混合機
２０１  蓄熱タンク
２０２  常温タンク
２０３  初段再生器
２０４  終段再生器
２０５  初段再熱器
２０６  終段再熱器
２０７  余熱利用装置
３０１  低温ポンプ
３０２  予熱器
３０３  初段膨張機
３０４  終段膨張機
３０５  発電機
４０１，４０１'  深冷貯蔵タンク
４０２，４０２'  中冷貯蔵タンク
４０２１，４０２１'  下中冷貯蔵タンク
４０２２，４０２２'  上中冷貯蔵タンク
４０３  液化コールドボックス
４０３１  液化コールドボックス深冷サイクル内部流路
４０３２  液化コールドボックス中冷サイクル内部流路
４０３３  液化コールドボックス超臨界流路
４０３４  液化コールドボックス冷エネルギー補償流路
４０３５  液化コールドボックス冷エネルギー回収流路
４０４  蒸発コールドボックス
４０４１  蒸発コールドボックス深冷サイクル内部流路
４０４２  蒸発コールドボックス中冷サイクル内部流路
４０４３  蒸発コールドボックス蒸発流路
４０５，４０５'  深冷サイクル送風機
４０５１，４０５１'  深冷サイクル外部流路
４０６，４０６'  中冷サイクル送風機
４０６１，４０６１'  中冷サイクル外部流路
４０７  液化蒸発両用コールドボックス
【手続補正７】
【補正対象書類名】図面
【補正対象項目名】図５
【補正方法】変更
【補正の内容】
【図５】
2020528509.tif 000008
【国際調査報告】
2020528509.tif 000009
2020528509.tif 000010
2020528509.tif 000011
2020528509.tif 000012